(57)【特許請求の範囲】
【請求項１】
主索により相互に連結されて昇降路を互いに反対方向へ昇降するかご及びつり合いおもりと、前記昇降路の底部に設けられて、前記つり合いおもりに対向して配置された通常運転時でのつり合いおもり用バネ緩衝器と、保守運転時に前記つり合いおもり用バネ緩衝器に取付けられて、前記つり合いおもりの下降が所定の位置を越えて下降しないように阻止するつり合いおもり下降阻止装置とを備えたエレベーター装置であって、
前記つり合いおもり下降阻止装置は、開口部と、前記開口部に嵌挿される棒状止め具とを備え、
前記つり合いおもり下降阻止装置は、前記棒状止め具が前記開口部に外側から嵌挿されるとともに前記つり合いおもり用バネ緩衝器のつるまき状バネの線径間に係止されることにより、前記つり合いおもり用バネ緩衝器の頂部に上部から被せるようにして取付けられ、
前記棒状止め具は、前記つり合いおもり用バネ緩衝器の緩衝動作時において、前記つるまきバネのストロークを妨げないように、前記開口部への前記棒状止め具の挿入を規制されている
ことを特徴とするエレベーター装置。
【請求項２】
前記つり合いおもり下降阻止装置は、前記つり合いおもり用バネ緩衝器を上部から被い、前記つり合いおもり用バネ緩衝器に対して回転されることにより、前記つり合いおもり用バネ緩衝器に取付けられることを特徴とする請求項１記載のエレベーター装置。
【請求項３】
主索により相互に連結されて昇降路を互いに反対方向へ昇降するかご及びつり合いおもりと、前記昇降路の底部に設けられて、前記かごに対向して配置された通常運転時でのかご用バネ緩衝器と、保守運転時に前記かご用バネ緩衝器に取付けられて、前記かごの下降が所定の位置を越えて下降しないように阻止するかご下降阻止装置とを備えたエレベーター装置であって、
前記かご下降阻止装置は、開口部と、前記開口部に嵌挿される棒状止め具とを備え、
前記かご下降阻止装置は、前記棒状止め具が前記開口部に外側から嵌挿されるとともに前記かご用バネ緩衝器のつるまき状バネの線径間に係止されることにより、前記かご用バネ緩衝器の頂部に上部から被せるようにして取付けられ、
前記棒状止め具は、前記かご用バネ緩衝器の緩衝動作時において、前記つるまきバネのストロークを妨げないように、前記開口部への前記棒状止め具の挿入を規制されている
ことを特徴とするエレベーター装置。
【請求項４】
前記かご下降阻止装置は、前記かご用バネ緩衝器を上部から被い、前記かご用バネ緩衝器に対して回転されることにより、前記かご用バネ緩衝器に取付けられることを特徴とする請求項３記載のエレベーター装置。
【発明の詳細な説明】
【０００１】
【発明の属する技術分野】
この発明は、主索により互いに連結されたかご及びつり合いおもりを有するエレベーター装置の安全装置に関するものである。
【０００２】
【従来の技術】
図５は、例えば公開特許公報２００１−１５１４３２号に掲載された従来のエレベーター装置を示す昇降路側面図である。以下、上記公開公報の記載内容に基づき、従来のエレベーター装置について説明する。
図５において、１はエレベーターの昇降路、２はかご、３はつり合いおもり、４は昇降路１に設けられた最上階の乗り場の床、５は昇降路１に設けられた最下階の乗り場の床、６は吊り車、７は、かご２とつり合いおもり３を吊り車６を介して吊っているロープ（主索）、８はかご上に乗った保守員、９は昇降路１の底部に設けられてつり合いおもり３に対向して配置されたつり合いおもり用緩衝器、１０は、昇降路１の底部に設けられてかご２に対向して配置されたかご用緩衝器、１１は、つり合いおもり下降阻止装置で保守運転時につり合いおもり用緩衝器９の頂部に重ねて複数のボルト１２等で取り付けられる。なお、つり合いおもり用緩衝器９はつり合いおもり３の荷重を受け全圧縮している状態を示す。
【０００３】
１３は、かご下降阻止装置で、保守運転時にかご用緩衝器１０の頂部に重ねて複数のボルト１２等で取り付けられる。なお、かご用緩衝器１０はかご２の荷重を受けず、かご下降阻止装置１３の荷重しか受けてなく伸びている状態を示す。
【０００４】
つり合いおもり下降阻止装置１１は、つり合いおもり３の下降をつり合いおもり緩衝器９よりも上方位置、すなわち、通常の下降位置よりも上方の所定位置で阻止する。なお、このつり合いおもり３の下降阻止により、かご２の上昇が通常の上昇位置よりも下方の所定位置で制約される。
【０００５】
保守時に保守員８がかご上に乗って誤ってかご２を上昇させつづけると、破線で示すように保守員８が天井に頭をぶつける可能性がある。これを防止するために、保守時にかご２の天井に乗って保守する場合は、まずつり合いおもり下降阻止装置１１をつり合いおもり用緩衝器９の頂部に取り付け、つり合いおもり３がつり合いおもり緩衝器９より先につり合いおもり下降阻止装置１１に当たるようにして、かご２はそれ以上上方へは物理的に動けないようにする。
【０００６】
このときのつり合いおもり下降阻止装置１１の寸法は、保守員８がかご上に乗っていても頭を打たないだけの長さに設定してあるので、保守員８が昇降路１の天井に頭をぶっつけることはなく安全である。また、保守員１４がピット内にいても、かご下降阻止装置１３は、かご２の下降をかご緩衝器１０よりも上方位置、すなわち、通常の下降位置よりも上方の所定位置で阻止するので保守員１４がかご２に衝突することがなく安全である。
【０００７】
また、図６は、上記で説明した従来のエレベーター装置におけるつり合いおもり用緩衝器９とつり合いおもり下降阻止装置１１からなる、つり合いおもり下降防止のための安全装置の詳細図である。
図６において、（ａ）はこの安全装置の正面図、（ｂ）は側面図である。
つり合いおもり下降阻止装置は、つり合いおもりカウンター下面当たり板１１ａ、嵩上げパイプ１１ｂ、つり合いおもり用緩衝器９に取付ける取付板１１ｃから構成される。１２は、位置決め、外れ止め用ボルトである。また、９ａは鍔状の緩衝器頂部である。
【０００８】
また、図７は上記のつり合いおもり下降阻止装置１１の要部構成を示す斜視図であり、取付板１１ｃは鍔状の緩衝器頂部９ａと嵌め合うようにＣ字状に形成されている。１１ｄは、位置決め、外れ止め用ボルト１２が装着される挿入穴である。
【０００９】
点検およびエレベーター据付時に、ピット内、かご上での作業に対し、下降阻止装置１１の断面Ｃ字形状の嵌合部を緩衝器頂部９ａにあわせ、水平にスライドさせ取付け、位置決め、外れ止め用ボルト１２を挿入穴１１ｄに装着する。装着されたボルト１２が緩衝器頂部９ａの外側に係止し、つり合いおもり阻止装置１１を緩衝器９に取り付けている。
なお、上記従来のエレベーター装置では、かご用緩衝装置１０及びかご阻止装置１３からなるかご下降防止のための安全装置についても、上記つり合いおもり用の安全装置と同様の構成となっている。
【００１０】
【発明が解決しようとする課題】
従来のエレベーター装置における、つり合いおもり又はかご下降防止のための安全装置は上記のように、下降阻止装置１１の断面Ｃ字形状の嵌合部を緩衝器頂部９ａにあわせ、水平にスライドさせて取付けるように構成されていたので、緩衝器が鍔部を有さない単純な構造のバネ緩衝器である場合は適用できないという問題があった。
【００１１】
本発明は、上記のような問題を解決するためになされたものであり、かご又はつり合いおもり用緩衝器として、バネ緩衝器が用いられている場合でも、適用が可能な安全装置を備えたエレベーター装置を提供することを目的とするものである。
【００１２】
【課題を解決するための手段】
この発明にかかるエレベーター装置は、主索により相互に連結されて昇降路を互いに反対方向へ昇降するかご及びつり合いおもりと、この昇降路の底部に設けられて、つり合いおもりに対向して配置された通常運転時でのつり合いおもり用バネ緩衝器と、保守運転時につり合いおもり用バネ緩衝器に取付けられて、つり合いおもりの下降が所定の位置を越えて下降しないように阻止するつり合いおもり下降阻止装置とを備え、上記つり合いおもり下降阻止装置は、つり合いおもり用バネ緩衝器の頂部に上部から被せるようにして取付けられるようにしたものである。
【００１３】
また、上記のつり合いおもり下降阻止装置は、開口部と、この開口部に嵌挿される棒状止め具とを備え、この棒状止め具がつり合いおもり下降阻止装置の開口部に外側から嵌挿されるとともに、つり合いおもり用バネ緩衝器のつるまき状バネの線径間に係止されることにより、上記つり合いおもり用バネ緩衝器に取付けられるようにしたものである。
【００１４】
また、上記のつり合いおもり下降阻止装置は、筒状の嵩上げパイプと、それぞれが開口部を有し、嵩上げパイプの下端部に取り付けられる複数の緩衝器取付け板とを備え、この複数の緩衝器取付け板は、つり合いおもり用バネ緩衝器を上部から被い、緩衝器取付け板の開口部に外側から嵌挿されて、つり合いおもり用バネ緩衝器のつるまき状バネの線径間に係止される棒状止め具により、上記のつり合いおもり用バネ緩衝器に取付けられるようにしたものである。
【００１５】
さらに、つり合いおもり下降阻止装置は、つり合いおもり用バネ緩衝器を上部から被い、つり合いおもり用バネ緩衝器に対して回転されることにより、つり合いおもり用バネ緩衝器に取付けられるようにしたものである。
【００１６】
この発明にかかるエレベーター装置は、主索により相互に連結されて昇降路を互いに反対方向へ昇降するかご及びつり合いおもりと、この昇降路の底部に設けられて、かごに対向して配置された通常運転時でのかご用バネ緩衝器と、保守運転時にかご用バネ緩衝器に取付けられて、かごの下降が所定の位置を越えて下降しないように阻止するかご下降阻止装置とを備え、上記かご下降阻止装置は、かご用バネ緩衝器の頂部に上部から被せるようにして取付けられるようにしたものである。
【００１７】
また、上記のかご下降阻止装置は、開口部と、この開口部に嵌挿される棒状止め具とを備え、この棒状止め具がかご下降阻止装置の開口部に外側から嵌挿されるとともに、かご用バネ緩衝器のつるまき状バネの線径間に係止されることにより、上記かご用バネ緩衝器に取付けられるようにしたものである。
【００１８】
また、上記のかご下降阻止装置は、筒状の嵩上げパイプと、それぞれが開口部を有し、嵩上げパイプの下端部に取り付けられる複数の緩衝器取付け板とを備え、この複数の緩衝器取付け板は、かご用バネ緩衝器を上部から被い、緩衝器取付け板の開口部に外側から嵌挿されて、かご用バネ緩衝器のつるまき状バネの線径間に係止される棒状止め具により、上記のかご用バネ緩衝器に取付けられるようにしたものである。
【００１９】
さらに、かご下降阻止装置は、かご用バネ緩衝器を上部から被い、かご用バネ緩衝器に対して回転されることにより、かご用バネ緩衝器に取付けられるようにしたものである。
【００２０】
【発明の実施の形態】
以下、この発明にかかるエレベーター装置の実施の形態を図について説明する。
実施の形態１
図１はこの発明の実施の形態１であるエレベーター装置に用いられる、つり合いおもり又はかご下降防止安全装置の構成を示す側面図である。なお、このエレベーター装置における、当該つり合いおもり又はかご下降安全装置を除く他の構成は、従来の技術として図５において説明した構成と同様であるので、説明を省略する。また、図１に示す安全装置の構成は、つり合いおもり用安全装置としても、またかご用安全装置としても用いることができるが、本実施の形態１においては、かご用安全装置について用いた場合について説明する。
【００２１】
図１において、１５はつり合いおもり用バネ緩衝器であり、つり合いおもりに対向して昇降路の低部に設けられるものである。この、つり合いおもり用バネ緩衝器１５は、エレベーターの通常運転時において、つり合いおもりの所定範囲を超えての下降を阻止するための機能を果たすものである。
一方、１６はつり合いおもり下降阻止装置で、エレベーターの保守運転時に上記つり合いおもり用バネ緩衝器１５に取付けられて、つり合いおもりが保守員の安全確保のために許容される範囲を超えて下降することを防止する役割を果たすものである。
【００２２】
このつり合いおもり下降阻止装置１６は、嵩上げパイプ１６ｂと、この嵩上げパイプ１６ｂの上端面に位置してつり合いおもりに当接するカウンター下面当たり板１６ａと、上記嵩上げパイプの下端に位置してつり合いおもり用バネ緩衝器１５を上部から被うようにしてつり合いおもり下降阻止装置１６を固定する取付け板１６ｃからなる。また、この取付け板１６ｃは、それぞれ開口部１６ｄを有している。図２はそのようなつり合いおもり下降阻止装置１６を示す斜視図である。
【００２３】
図１において、１７は例えばボルト等の棒状止め具であり、当該取付け板１６ｃの開口部１６ｄに外側から嵌挿されるとともに、つり合いおもり用バネ緩衝器１５のつるまき状バネの線径間に挿入されて、取付け板１６ｃをつり合いおもり用バネ緩衝器１５に固定する役割を果たす。図３はそのようにして棒状止め具１７により、下降阻止装置１６がバネ緩衝器１５に固定された状態を示す、図１の矢視Ａにおける断面図である。
【００２４】
次に、エレベーター装置の保守用の動作を行うに際し、このつり合いおもり下降阻止装置１６を、つり合いおもり用バネ緩衝器１５に固定するための動作の一例について説明する。
まず、つり合いおもり下降阻止装置１６の取付け板１６ｃを、つり合いおもり用バネ緩衝器１５の上部から被うように配置する。次に、棒状止め具１７をそれぞれの取付け板１６ｃの開口部１６ｄに外側から挿入して取付け板１６ｃを貫通するとともに、つり合いおもり用バネ緩衝器１５のバネの線径間（すなわちつるまきバネの隙間）に差し込むことにより、下降阻止装置１６をバネ緩衝器１５に固定する。
【００２５】
以上の動作により、下降阻止装置１６はバネ緩衝器１５に対して、位置決めがなされ、外れないように固定される。
しかし、下降阻止装置１６をバネ緩衝器１５にさらに強固に固定する場合は、上記の動作によって、下降装置１６をバネ緩衝器１５に固定した後、さらに下降阻止装置１６をバネ緩衝器１５に対して下方に進行するように回転させる。このことにより、棒状止め具１７は、より深い位置でバネ緩衝器１５のバネに食い込むことになり、下降阻止装置１６をバネ緩衝器１５に、がたつき等がなくなるよう強固に固定できる。
【００２６】
なお、棒状止め具１７をバネ緩衝器１５のバネの線径間に挿入する際には、バネ緩衝器１５の緩衝動作時においてもバネのストロークを妨げないように、適当な位置において棒状止め具１７の挿入を規制し、バネ緩衝器の緩衝性能に支障をきたさないように調整しつつ行うこともできる。図４はそのようにして下降阻止装置１６をバネ緩衝器１５に取付けた場合の状態を示す、本発明によるつり合いおもり下降防止安全装置の一部断面図である。
【００２７】
また、上記実施の形態ではつり合いおもり下降阻止装置１６に複数の取付け板１６ｃを設けてバネ緩衝器１５に取付けるようにしたが、下降阻止装置１６の下部の径を拡張するとともに開口部を設けてバネ緩衝器１５の上部を被い、この開口部に棒状止め具１７を嵌挿することによりバネ緩衝器１５に取付けるようにしてもよい。なお、この下降阻止装置１６の下部の断面形状は円形であっても四角形であってもよい。
【００２８】
以上説明したように、この発明の実施の形態１のエレベーター装置は、つり合いおもりに対する下降防止安全装置を上記のように構成したので、つり合いおもり用緩衝器としてバネ緩衝器を用いた場合でも、つり合いおもり下降阻止装置を容易に取付けることが可能となる。
【００２９】
実施の形態２
上記実施の形態１では、つり合いおもり用バネ緩衝器１５につり合いおもり下降阻止装置１６を取付けて、エレベーター装置のつり合いおもり用の下降防止安全装置として用いる構成について説明した。しかし、上記のバネ緩衝器１５と下降阻止装置１６との組み合わせによる安全装置の構成は、エレベーター装置のかご用の下降防止安全装置として用いることも可能である。
【００３０】
すなわち、通常運転時に、かごの下降を所定の範囲内に制限するためのかご用緩衝器として、上記で説明したバネ緩衝器１５と同様の構成のものを用いる。さらに、エレベーターの保守運転時に上記かご用バネ緩衝器に取付けられて、かごが保守員の安全確保のために許容される範囲を超えて下降することを防止するかご下降阻止装置として、上記つり合いおもり下降阻止装置１６と同様の構成のものを用いる。そのような構成とすることにより、かご用緩衝器としてバネ緩衝器を用いた場合でも、かご下降阻止装置をかご用バネ緩衝器に容易に取付けることができる。
【００３１】
実施の形態３
上記実施の形態１及び実施の形態２では、バネ緩衝器１５に下降阻止装置１６を取付けて、エレベーター装置のつり合いおもり用の下降防止安全装置又はかご用の下降防止安全装置のいずれかについて用いる構成について説明した。しかし、かかるバネ緩衝器１５に下降阻止装置１６を取付ける構成は、エレベーター装置のつり合いおもり用の下降防止安全装置及びかご用の下降防止安全装置の双方に同時に使用できる。そのような構成とすることにより、つり合いおもり用緩衝器並びにかご用緩衝器の双方にバネ緩衝器を用いた場合でも、それぞれに対応する下降阻止装置を容易に取付けることが可能になる。
【００３２】
【発明の効果】
この発明のエレベーター装置によれば、つり合いおもり（かご）下降阻止装置は、つり合いおもり（かご）用バネ緩衝器の頂部に上部から被せるようにして取付けられるようにしたので、つり合いおもり（かご）用緩衝器としてバネ緩衝器を用いた場合でも、つり合いおもり（かご）下降阻止装置を容易に取付けることが可能となる効果がある。
【００３３】
また、つり合いおもり（かご）下降阻止装置は、開口部と、この開口部に嵌挿される棒状止め具を備え、この棒状止め具がつり合いおもり（かご）下降阻止装置の開口部に外側から嵌挿されるとともに、つり合いおもり（かご）用バネ緩衝器のつるまき状バネの線径間に係止されることにより、上記つり合いおもり（かご）用バネ緩衝器に取付けられるようにしたので、上記取付けがより確実に行える効果がある。
【００３４】
さらに、つり合いおもり（かご）下降阻止装置は、つり合いおもり（かご）用バネ緩衝器を上部から被い、つり合いおもり（かご）用バネ緩衝器に対して回転させて、つり合いおもり（かご）用バネ緩衝器に取付けられるようにしたので、より強固な取付けが可能になる効果がある。
【図面の簡単な説明】
【図１】  この発明の実施の形態１のつり合いおもり下降防止安全装置を示す側面図である。
【図２】  この発明の実施の形態１のつり合いおもり下降阻止装置を示す斜視図である。
【図３】  図１における矢視を示す断面図である。
【図４】  この発明の実施の形態１のつり合いおもり下降防止安全装置を示す一部断面図である。
【図５】  従来のエレベーター装置の構成を示す昇降路側面図である。
【図６】  従来のエレベーター装置の安全装置を示す正面図及び側面図である
【図７】  従来のエレベーター装置のつり合いおもり下降阻止装置を示す斜視図である。
【符号の説明】
１  エレベーターの昇降路
２  かご
３  つり合いおもり
６  吊り車
７  主索
１５  つり合いおもり用緩衝器
１６  つり合いおもり下降阻止装置
１６ｂ  嵩上げパイプ
１６ｃ  取付け板
１６ｄ  開口部
１７  棒状止め具
【図１】
0004024524.tif 000002
【図２】
0004024524.tif 000003
【図３】
0004024524.tif 000004
【図４】
0004024524.tif 000005
【図５】
0004024524.tif 000006
【図６】
0004024524.tif 000007
【図７】
0004024524.tif 000008